(57)【要約】【課題】変調器や復調器の台数を増やすことなく、複数種類の音声信号やデータ信号を衛星回線を介して伝送可能な伝送システムの送信装置、受信装置及び送受信装置を提供する。【解決手段】送受信装置１０において、音声用のＶＯＩＰゲートウェイ１１，１２，１３を用いて、各音声回線からの音声信号を音声ＩＰ信号に変換し、データ用のＶＯＩＰゲートウェイ１４を用いて、電子メール等のデータ信号をデータＩＰ信号に変換し、これら音声ＩＰ信号及びデータＩＰ信号をスイッチングハブ１５により多重化してＩＰモデム１６に供給するようにし、ＩＰモデム１６によって得られる衛星ＳＡＴからのＩＰ信号をＶＯＩＰゲートウェイ１１，１２，１３，１４に分配し、ＶＯＩＰゲートウェイ１１，１２，１３にてＩＰ信号を音声信号に変換し、ＶＯＩＰゲートウェイ１４にてＩＰ信号をデータ信号に変換するようにしている。【選択図】      図１
2008078918.tif 000002
【特許請求の範囲】
【請求項１】
送信側で変調部にてＩＰ（Internet Protocol）信号を変調して衛星回線中のＩＰ信号を伝送可能な伝送回線へ送出し、受信側で前記伝送回線からの変調信号を受信し復調部にて復調出力する伝送システムに用いられる送信装置であって、
音声信号を前記ＩＰ信号に変換する第１のＶＯＩＰ(Voice Over Internet Protocol）ゲートウェイと、
前記音声信号とは異なるデータ信号を前記ＩＰ信号に変換する第２のＶＯＩＰゲートウェイと、
前記第１及び第２のＶＯＩＰゲートウェイそれぞれの出力を多重化して前記変調部に供給する信号多重手段とを具備したことを特徴とする伝送システムの送信装置。
【請求項２】
前記信号多重手段は、前記第１及び第２のＶＯＩＰゲートウェイを収容するためのハブを備えることを特徴とする請求項１記載の伝送システムの送信装置。
【請求項３】
送信側で少なくとも音声信号及びデータ信号をＩＰ（Internet Protocol）化して多重したＩＰ信号を変調部にて変調して衛星回線中のＩＰ信号を伝送可能な伝送回線へ送出し、受信側で前記伝送回線からの変調信号を受信し復調部にて復調出力する伝送システムに用いられる受信装置であって、
前記復調部によって得られる前記ＩＰ信号を音声ＩＰ化信号とデータＩＰ化信号に分離する信号分離手段と、
この信号分離手段で分離された前記音声ＩＰ化信号を前記音声信号に変換する第１のＶＯＩＰ(Voice Over Internet Protocol）ゲートウェイと、
前記信号分離手段で分離されたデータＩＰ化信号を前記データ信号に変換する第２のＶＯＩＰゲートウェイとを具備したことを特徴とする伝送システムの受信装置。
【請求項４】
前記信号分離手段は、前記第１及び第２のＶＯＩＰゲートウェイを収容するためのハブを備えることを特徴とする請求項３記載の伝送システムの受信装置。
【請求項５】
送信側で変調部にてＩＰ（Internet Protocol）信号を変調して衛星回線中のＩＰ信号を伝送可能な伝送回線へ送出し、受信側で前記伝送回線からの変調信号を受信し復調部にて復調出力する伝送システムに用いられる送受信装置であって、
音声信号を前記ＩＰ信号に変換し、前記ＩＰ信号を前記音声信号に変換する第１のＶＯＩＰ(Voice Over Internet Protocol）ゲートウェイと、
前記音声信号とは異なるデータ信号を前記ＩＰ信号に変換し、前記ＩＰ信号を前記データ信号に変換する第２のＶＯＩＰゲートウェイと、
前記第１及び第２のＶＯＩＰゲートウェイそれぞれの出力を多重化して前記変調部に供給し、前記復調部によって得られる前記ＩＰ信号を音声ＩＰ化信号とデータＩＰ化信号に分離する信号処理手段とを具備したことを特徴とする伝送システムの送受信装置。
【請求項６】
前記信号処理手段は、前記第１及び第２のＶＯＩＰゲートウェイを収容するためのハブを備えることを特徴とする請求項５記載の伝送システムの送受信装置。
【発明の詳細な説明】
【技術分野】
【０００１】
この発明は、親局と子局との間を衛星回線により接続するＳＮＧ(Satellite News Gathering)システムに用いられる送信装置、受信装置及び送受信装置に関する。
【背景技術】
【０００２】
放送システムにあっては、親局と子局とを衛星回線により接続するＳＮＧ(Satellite News Gathering)システムが構築されている。この衛星回線は、予め決められた帯域のうち、映像・音声・データ伝送用の複数の映像回線と、親局と子局との間で通信を行なうための連絡回線とが周波数軸上で割り当てられている。
【０００３】
このようなシステムを用いれば、親局は遠隔地に設置される多数の子局に対し放送信号を伝送することができる。
【０００４】
ところで、上記システムでは、衛星回線の連絡回線を利用して、電話端末による音声信号の通信や、テレビ電話端末やパーソナル・コンピュータによるデータの通信も行なえるようにしたシステムも強く要望されている。この場合、ＳＣＰＣ(Single Channel Per Carrier)方式により音声信号を伝送する方式を用いることが考えられる。
【０００５】
しかし、上記方式では、複数の音声回線を使用する場合、回線数分の変復調器が必要となる。また、Ｗｅｂ、メール等のＩＰデータを伝送する場合は、それ専用の変復調器も必要であり、音声、データの種類だけ変復調器が必要となる。
【０００６】
なお、従来では、衛星回線とは別に、地上回線網を介して親局と各子局とを接続し、地上回線網を介して音声やデータの通信を行なう手法もある（例えば、特許文献１）。
【特許文献１】特許第３１２２４１５号公報。
【発明の開示】
【発明が解決しようとする課題】
【０００７】
しかしながら、上記手法では、衛星回線とは別に、親局と各子局との間に地上回線網を敷設しなければならないため、システム構成が大掛かりなものとなるとともに、その設備コストも大きくなってしまうことになる。
【０００８】
そこで、この発明の目的は、変調器や復調器の台数を増やすことなく、複数種類の音声信号やデータ信号を衛星回線を介して伝送可能な伝送システムの送信装置、受信装置及び送受信装置を提供することにある。
【課題を解決するための手段】
【０００９】
上記目的を達成するために、この発明に係る伝送システムの送信装置は、送信側で変調部にてＩＰ（Internet Protocol）信号を変調して衛星回線中のＩＰ信号を伝送可能な伝送回線へ送出し、受信側で伝送回線からの変調信号を受信し復調部にて復調出力する伝送システムに用いられる送信装置であって、音声信号をＩＰ信号に変換する第１のＶＯＩＰ(Voice Over Internet Protocol）ゲートウェイと、音声信号とは異なるデータ信号をＩＰ信号に変換する第２のＶＯＩＰゲートウェイと、第１及び第２のＶＯＩＰゲートウェイそれぞれの出力を多重化して変調部に供給する信号多重手段とを備えるようにしたものである。
【００１０】
この構成によれば、第１及び第２のＶＯＩＰゲートウェイを用いて、音声信号及びデータ信号をそれぞれＩＰ信号に変換し、これらＩＰ信号を多重化して変調部に供給するようにし、衛星回線中の連絡回線（Order Wire）を介して受信側に伝送できるようにしている。このため、従来のように音声回線分の複数の変調器やデータ信号用の変調器は不要となり、１台の変調器で各音声信号及びデータ信号を連絡回線を介して伝送することができる。
【００１１】
また、この発明に係る伝送システムの受信装置は、送信側で少なくとも音声信号及びデータ信号をＩＰ（Internet Protocol）化して多重したＩＰ信号を変調部にて変調して衛星回線中のＩＰ信号を伝送可能な伝送回線へ送出し、受信側で前記伝送回線からの変調信号を受信し復調部にて復調出力する伝送システムに用いられる受信装置であって、復調部によって得られるＩＰ信号を音声ＩＰ化信号とデータＩＰ化信号に分離する信号分離手段と、この信号分離手段で分離された音声ＩＰ化信号を音声信号に変換する第１のＶＯＩＰ(Voice Over Internet Protocol）ゲートウェイと、信号分離手段で分離されたデータＩＰ化信号をデータ信号に変換する第２のＶＯＩＰゲートウェイとを備えるようにしたものである。
【００１２】
この構成によれば、復調部によって得られる連絡回線からのＩＰ信号を音声ＩＰ化信号とデータＩＰ化信号に分離し、第１及び第２のＶＯＩＰゲートウェイを用いて、音声ＩＰ化信号及びデータＩＰ化信号を音声信号及びデータ信号に変換して各音声回線やコンピュータネットワーク等に送出するようにしている。このため、従来のように音声回線分の複数の復調器やデータ信号用の復調器は不要となり、１台の復調器で連絡回線を介して到来した各音声信号及びデータ信号を扱うことができる。
【発明の効果】
【００１３】
以上詳述したようにこの発明によれば、変調器や復調器の台数を増やすことなく、複数種類の音声信号やデータ信号を衛星回線を介して伝送可能な伝送システムの送信装置、受信装置及び送受信装置を提供することができる。
【発明を実施するための最良の形態】
【００１４】
以下、この発明の実施形態について図面を参照して詳細に説明する。
【００１５】
図１は、この発明に係わるＳＮＧシステムの一実施形態を示す概略構成図であり、１０，２０は送受信装置をそれぞれ示している。なお、送受信装置１０は例えば親局を示し、送受信装置２０は子局を示している。また、ここでは説明を簡単にするために、音声回線数を３とし、コンピュータネットワーク数を１とする。
【００１６】
まず送受信装置１０は、複数の音声回線（音声１，２，３）からの音声信号をそれぞれＶＯＩＰゲートウェイ１１，１２，１３に入力している。また、コンピュータネットワークからのデータ信号をＶＯＩＰゲートウェイ１４に入力している。ＶＯＩＰゲートウェイ１１，１２，１３は、入力された音声信号を音声ＩＰ信号に変換し、音声ＩＰ信号をスイッチングハブ１５に出力する。また、ＶＯＩＰゲートウェイ１４は、入力されたデータ信号をデータＩＰ信号に変換し、データＩＰ信号をスイッチングハブ１５に出力する。
【００１７】
スイッチングハブ１５は、入力された３回線分の音声ＩＰ信号及びデータＩＰ信号を多重化し、この多重化ＩＰ信号を変復調器としてのＩＰモデム１６に出力する。ＩＰモデム１６は、入力された多重化ＩＰ信号を例えば８ＰＳＫ変調方式により変調し、この変調信号を送受信部１７に供給する。
【００１８】
送受信部１７は、上記変調信号を周波数変換したのち所定の送信電力レベルに増幅し、この増幅された放送信号をアンテナから衛星回線のＯＷ回線により衛星ＳＡＴに向け送信する。
【００１９】
一方、送受信装置２０において、送受信部２１は、衛星ＳＡＴから到来する信号を受信し、この受信信号をＩＰモデム２２に供給する。ＩＰモデム２２は、受信信号をデジタル復調してスイッチングハブ２３に出力する。スイッチングハブ２３は、ＩＰモデム２２からの復調出力を各ＶＯＩＰゲートウェイ２４，２５，２６，２７に分配する。
【００２０】
ＶＯＩＰゲートウェイ２４，２５，２６は、スイッチングハブ１５からのＩＰ信号を音声信号に変換して各音声回線に出力する。また、ＶＯＩＰゲートウェイ２７は、スイッチングハブ１５からのＩＰ信号をデータ信号に変換してコンピュータネットワークに出力する。
【００２１】
また、送受信装置２０は、複数の音声信号及びデータ信号を送受信装置１０へ送信する際に、上記と逆の処理経路を辿り、送受信装置１０は、衛星ＳＡＴからの信号を上記と逆の処理経路を辿る。
【００２２】
以上のように上記実施形態では、送受信装置１０において、音声用のＶＯＩＰゲートウェイ１１，１２，１３を用いて、各音声回線からの音声信号を音声ＩＰ信号に変換し、データ用のＶＯＩＰゲートウェイ１４を用いて、電子メール等のデータ信号をデータＩＰ信号に変換し、これら音声ＩＰ信号及びデータＩＰ信号をスイッチングハブ１５により多重化してＩＰモデム１６に供給するようにし、衛星回線中の連絡回線（Order Wire）を介して送受信装置２０へ伝送できるようにしている。また、ＩＰモデム１６によって得られる衛星ＳＡＴからのＩＰ信号をＶＯＩＰゲートウェイ１１，１２，１３，１４に分配し、ＶＯＩＰゲートウェイ１１，１２，１３にてＩＰ信号を音声信号に変換して各音声回線に出力し、ＶＯＩＰゲートウェイ１４にてＩＰ信号をデータ信号に変換してコンピュータネットワーク等に送出するようにしている。
【００２３】
従って、従来方式のように音声回線分の複数のＩＰモデムやデータ信号用のＩＰモデムは不要となり、１台のＩＰモデム１６，２２でＯＷ回線を介して音声信号及びデータ信号の通信を行なうことができる。
【００２４】
なお、上記実施形態では、送受信装置１０，２０を例に説明したが、例えば送受信装置１０に音声信号及びデータ信号をＩＰ信号に変換して送信する機能のみ備え、送受信装置２０に衛星ＳＡＴからのＩＰ信号を受信する機能のみを備えるようにしてもよい。またその逆でもよい。
【００２５】
また、上記実施形態では、ＳＮＧシステムを例に説明したが、ＳＮＧ以外の伝送システムにも適用可能である。
【００２６】
その他、送受信装置の構成、音声信号の種類、データ信号の種類等についても、この発明の要旨を逸脱しない範囲で種々変形して実施できる。
【図面の簡単な説明】
【００２７】
【図１】この発明に係わるＳＮＧシステムの一実施形態を示すブロック図。
【符号の説明】
【００２８】
１０，２０…送受信装置、１１〜１４，２４〜２７…ＶＯＩＰゲートウェイ、１５，２３…スイッチングハブ、１６，２２…ＩＰモデム、１７，２１…送受信部、ＳＡＴ…衛星。
【図１】
2008078918.tif 000003